(57)【特許請求の範囲】
【請求項１】
本体部と、
前記本体部に設けられ、情報処理を実行するメイン制御部と、
前記本体部に設けられ、前記本体部の筐体とは別体である外部入力装置からの入力情報を受信する信号受信部と、
前記メイン制御部が第１動作状態よりも処理能力の低い第２動作状態に設定されている場合に、前記信号受信部によって前記外部入力装置からの入力情報が受信されると前記第２動作状態よりも処理能力の高い前記第１動作状態に前記メイン制御部の設定を変更する設定制御部と
を備え、
前記設定制御部は、
前記メイン制御部が前記第１動作状態に設定された状態において、前記本体部に人体が接触していることを検出した場合に、前記第２動作状態に前記メイン制御部の設定を再変更する
情報処理装置。
【請求項２】
前記本体部の揺れを検出するセンサ部を備え、
前記設定制御部は、
前記メイン制御部が前記第１動作状態に設定された状態において、前記センサ部が前記本体部の所定以上の揺れを検出した場合に、前記本体部に人体が接触しているとして、前記第２動作状態に前記メイン制御部の設定を再変更する
請求項１に記載の情報処理装置。
【請求項３】
前記設定制御部は、
前記外部入力装置からの入力情報を受信し、且つ、前記センサ部が前記本体部の揺れを検出している場合、前記メイン制御部を前記第２動作状態に設定する
請求項２に記載の情報処理装置。
【請求項４】
前記外部入力装置からの前記入力情報は、無線通信インタフェースを介して受信される
請求項１から請求項３のいずれか一項に記載の情報処理装置。
【請求項５】
前記本体部は、
少なくとも表示部を有する第１筐体と、
少なくとも入力部を有する第２筐体と、
前記第１筐体の前記表示部と前記第２筐体の前記入力部とが対向して重ねられた状態から３６０度回動可能に前記第１筐体と前記第２筐体とを結合する回動機構と
で構成され、
前記第２動作状態は、前記表示部の表示面及び前記入力部が外側になっている際に設定される状態である
請求項１から請求項３のいずれか一項に記載の情報処理装置。
【請求項６】
前記表示部と前記入力部とが内側を向いた状態では前記第１動作状態に設定される
請求項５に記載の情報処理装置。
【請求項７】
本体部と、前記本体部に設けられ、情報処理を実行するメイン制御部と、前記本体部に設けられ、前記本体部の筐体とは別体である外部入力装置からの入力情報を受信する信号受信部とを備える情報処理装置の制御方法であって、
設定制御部が、前記メイン制御部が第１動作状態よりも処理能力の低い第２動作状態に設定されている場合に、前記信号受信部によって前記外部入力装置からの入力情報が受信されると前記第２動作状態よりも処理能力の高い前記第１動作状態に前記メイン制御部の設定を変更するステップを含み、
前記ステップにおいて、前記設定制御部が、前記メイン制御部が前記第１動作状態に設定された状態において、前記本体部に人体が接触していることを検出した場合に、前記第２動作状態に前記メイン制御部の設定を再変更する
制御方法。
【発明の詳細な説明】
【技術分野】
【０００１】
本発明は、情報処理装置、及び制御方法に関する。
【背景技術】
【０００２】
近年、ノートブック型パーソナルコンピュータ（以下、ノートＰＣ：Personal Computer）などの情報処理装置では、例えば、ディスプレイ側の筐体を開閉できるタイプのノートＰＣをクラムシェル型といい、通常のＰＣとして使用するラップトップモードの他に、タブレット端末のような使用形態が可能なものがある。タブレット端末にようにディスプレイ側を前面に出して使用する使用形態は、一般に、利用者が直接ディスプレイに触れて操作することを想定している。そのため、このような情報処理装置では、例えば、タブレット端末にようにディスプレイ側を前面に出して使用する使用形態である場合に、発熱を抑えるためにパフォーマンスのレベルを低下させていた。
【先行技術文献】
【特許文献】
【０００３】
【特許文献１】特開２０１７−１０２８７号公報
【発明の概要】
【発明が解決しようとする課題】
【０００４】
しかしながら、例えば、タブレット端末などの使用形態においても、ラップトップモード並みのパフォーマンスで使用したいという要望が、利用者の一部にあり、上述したような情報処理装置では、このような要望に対応することは困難であった。
【０００５】
本発明は、上記問題を解決すべくなされたもので、その目的は、使用状況に応じて、パフォーマンスを適切に設定することができる情報処理装置、及び制御方法を提供することにある。
【課題を解決するための手段】
【０００６】
上記問題を解決するために、本発明の一態様は、本体部と、前記本体部に設けられ、情報処理を実行するメイン制御部と、前記本体部に設けられ、前記本体部の筐体とは別体である外部入力装置からの入力情報を受信する信号受信部と、前記メイン制御部が第１動作状態よりも処理能力の低い第２動作状態に設定されている場合に、前記信号受信部によって前記外部入力装置からの入力情報が受信されると前記第２動作状態よりも処理能力の高い前記第１動作状態に前記メイン制御部の設定を変更する設定制御部とを備え、前記設定制御部は、前記メイン制御部が前記第１動作状態に設定された状態において、前記本体部に人体が接触していることを検出した場合に、前記第２動作状態に前記メイン制御部の設定を再変更する情報処理装置である。
【０００８】
また、本発明の一態様は、上記の情報処理装置において、前記本体部の揺れを検出するセンサ部を備え、前記設定制御部は、前記メイン制御部が前記第１動作状態に設定された状態において、前記センサ部が前記本体部の所定以上の揺れを検出した場合に、前記本体部に人体が接触しているとして、前記第２動作状態に前記メイン制御部の設定を再変更するようにしてもよい。
【０００９】
また、本発明の一態様は、上記の情報処理装置において、前記設定制御部は、前記外部入力装置からの入力情報を受信し、且つ、前記センサ部が前記本体部の揺れを検出している場合、前記メイン制御部を前記第２動作状態に設定するようにしてもよい。
【００１０】
また、本発明の一態様は、上記の情報処理装置において、前記外部入力装置からの前記入力情報は、無線通信インタフェースを介して受信されるようにしてもよい。
【００１１】
また、本発明の一態様は、上記の情報処理装置において、前記本体部は、少なくとも表示部を有する第１筐体と、少なくとも入力部を有する第２筐体と、前記第１筐体の前記表示部と前記第２筐体の前記入力部とが対向して重ねられた状態から３６０度回動可能に前記第１筐体と前記第２筐体とを結合する回動機構とで構成され、前記第２動作状態は、前記表示部の表示面及び前記入力部が外側になっている際に設定される状態であってもよい。
【００１２】
また、本発明の一態様は、上記の情報処理装置において、前記表示部と前記入力部とが内側を向いた状態では前記第１動作状態に設定されるようにしてもよい。
【００１３】
また、本発明の一態様は、上記の情報処理装置において、本体部と、前記本体部に設けられ、情報処理を実行するメイン制御部と、前記本体部に設けられ、前記本体部の筐体とは別体である外部入力装置からの入力情報を受信する信号受信部とを備える情報処理装置の制御方法であって、設定制御部が、前記メイン制御部が第１動作状態よりも処理能力の低い第２動作状態に設定されている場合に、前記信号受信部によって前記外部入力装置からの入力情報が受信されると前記第２動作状態よりも処理能力の高い前記第１動作状態に前記メイン制御部の設定を変更するステップを含み、前記ステップにおいて、前記設定制御部が、前記メイン制御部が前記第１動作状態に設定された状態において、前記本体部に人体が接触していることを検出した場合に、前記第２動作状態に前記メイン制御部の設定を再変更する制御方法である。
【発明の効果】
【００１４】
本発明によれば、使用状況に応じて、パフォーマンスを適切に設定することができる。
【図面の簡単な説明】
【００１５】
【図１】本実施形態によるノートＰＣの一例を示す外観図である。
【図２】本実施形態によるノートＰＣの外部入力装置を接続した場合の一例を示す外観図である。
【図３】本実施形態によるノートＰＣの主要なハードウェア構成の一例を示す図である。
【図４】本実施形態によるノートＰＣの機能構成の一例を示すブロック図である。
【図５】本実施形態によるノートＰＣのパフォーマンス管理処理の一例を示すフローチャートである。
【図６】本実施形態によるノートＰＣのパフォーマンスレベルの設定変更処理の一例を示すフローチャートである。
【図７】本実施形態によるノートＰＣのパフォーマンスレベルの設定変更処理の別の一例を示すフローチャートである。
【発明を実施するための形態】
【００１６】
以下、本発明の一実施形態による情報処理装置、及び制御方法について、図面を参照して説明する。
【００１７】
図１は、本実施形態によるノートＰＣ１の一例を示す外観図である。なお、本実施形態において、情報処理装置の一例として、ノートＰＣ１について説明する。
図１に示すように、ノートＰＣ１は、例えば、クラムシェル型のノートＰＣであり、第１筐体１０１と、第２筐体１０２と、ヒンジ機構１０３とを備える。なお、第１筐体１０１、第２筐体１０２、及びヒンジ機構１０３は、本体部の一例である。
【００１８】
第１筐体１０１は、表示部１４と、カメラ２７とを備える筐体であり、ヒンジ機構１０３により、第２筐体１０２と接続されている。第１筐体１０１には、表示部１４の表示面Ｆ１が視認可能なように表示部１４が配置されている。また、カメラ２７は、表示部１４の表示面Ｆ１と同一の第１筐体１０１の面に配置されている。
【００１９】
第２筐体１０２は、少なくともキーボードなどの入力部３２を有する筐体であり、ヒンジ機構１０３により、第１筐体１０１と接続されている。第２筐体１０２は、表面Ｆ２に入力部３２が配置されており、筐体内部には、ノートＰＣ１の主要なハードウェアが搭載されたマザーボードが格納されている。
【００２０】
ヒンジ機構１０３（回動機構の一例）は、第１筐体１０１と第２筐体１０２とを結合しながら、第１筐体１０１を第２筐体１０２に対して、回転軸ＡＸの周りに回動可能である。ヒンジ機構１０３は、第１筐体１０１の表示部１４と第２筐体１０２の入力部３２とが対向して重ねられた状態から３６０度回動可能に第１筐体１０１と第２筐体１０２とを結合する。なお、本実施形態では、ノートＰＣ１は、ヒンジ機構１０３−１とヒンジ機構１０３−２との２つのヒンジ機構を備えており、特に区別しない場合、又は任意のヒンジ機構を示す場合には、ヒンジ機構１０３として説明する。
【００２１】
なお、以下の説明において、第１筐体１０１の表面（表示面Ｆ１）と第２筐体１０２の表面Ｆ２とのなす角度を開閉角度θと呼ぶ。ヒンジ機構１０３は、開閉角度θが０度から３６０度までの範囲で第１筐体１０１を回動させることができるとともに、多少のトルクがかけられても任意の開閉角度θで、その開閉角度θを維持することができる。
【００２２】
このような構成により、ノートＰＣ１は、開閉角度θに応じて、使用モード（使用形態）を変更することが可能である。例えば、開閉角度θが０度である場合、ノートＰＣ１は、クローズモードであり、開閉角度θが３６０度である場合、ノートＰＣ１は、タブレットモードである。
【００２３】
また、例えば、開閉角度θが、０度より大きく１９０度より小さい場合（０度＜θ＜１９０度の場合）、ノートＰＣ１は、ラップトップモードであり、開閉角度θが、１９０度以上で３６０度より小さい場合（１９０度≦θ＜３６０度の場合）、ノートＰＣ１は、テントモード又はスタンドモードである。テントモードは、ヒンジ機構１０３が上に来るように配置したモードであり、スタンドモードは、第２筐体１０２の表面Ｆ２を下に配置したモードである。
【００２４】
ここで、図１に示す例では、開閉角度θが、０度より大きく１９０度より小さいラップトップモードに相当する。なお、ノートＰＣ１は、ラップトップモードにおいて、処理能力（パフォーマンス）のレベルを示すパフォーマンスレベルの設定がハイパフォーマンスレベルに設定される。ハイパフォーマンスレベルとは、ノートＰＣ１の処理能力（パフォーマンス）が最も高い設定のレベルである。
【００２５】
また、１９０度以上で３６０度以下である場合（テントモード、スタンドモード、及びタブレットモードのいずれかの場合）に、ノートＰＣ１は、利用者がノートＰＣ１に直接触れて操作することを想定して、ハイパフォーマンスレベルより処理能力（パフォーマンス）を低下させたロウパフォーマンスレベルに設定される。
【００２６】
ここで、ラップトップモードである状態は、通常稼働状態（第１動作状態；ハイパフォーマンスレベル）であり、１９０度以上で３６０度以下である状態テントモード、スタンドモード、及びタブレットモードのいずれかの状態）は、通常稼働状態よりもパフォーマンスレベルが低いロウパフォーマンスレベルに設定された第２動作状態である。
【００２７】
また、図２は、本実施形態によるノートＰＣ１のテントモードにおいて、外部入力装置４０を接続した場合の一例を示す外観図である。なお、本実施形態において、ノートＰＣ１と、外部入力装置４０とは、情報処理システム１００に対応する。
【００２８】
図２に示すように、ノートＰＣ１は、テントモードにおいて、表示部１４の表示面Ｆ１を外側にして第１筐体１０１と第２筐体１０２とをヒンジ機構１０３により折り曲げた状態にして、第１筐体１０１及び第２筐体１０２のヒンジ機構１０３とは反対側の側面を下にしてテント状に設置される。ここで、テントモードとは、表示部１４の表示面及び入力部３２が外側になるように第１筐体１０１と第２筐体１０２とをヒンジ機構１０３により折り曲げた状態である。
【００２９】
また、図２に示す例は、テントモードのノートＰＣ１に外部入力装置４０を通信可能に接続して使用する情報処理システム１００を示している。
外部入力装置４０は、無線ドングル４１（信号受信部の一例）と、外部キーボード４２と、マウス４３とを備える。無線ドングル４１、外部キーボード４２、及びマウス４３の詳細については、図３を参照して後述する。
【００３０】
次に、図３を参照して、ノートＰＣ１の主要なハードウェア構成について説明する。
図３は、本実施形態によるノートＰＣ１の主要なハードウェア構成の一例を示す図である。
【００３１】
図３に示すように、ノートＰＣ１は、ＣＰＵ１１と、メインメモリ１２と、ビデオサブシステム１３と、表示部１４と、チップセット２１と、ＢＩＯＳメモリ２２と、ＨＤＤ２３と、オーディオシステム２４と、ＷＬＡＮカード２５と、ＵＳＢコネクタ２６と、カメラ２７と、エンベデッドコントローラ３１と、入力部３２と、電源回路３３と、温度センサ３４と、ホールセンサ３５と、加速度センサ３６と、放熱ファン３７とを備える。
また、ノートＰＣ１は、ＵＳＢコネクタ２６を介して、外部入力装置４０が接続されている。
【００３２】
ＣＰＵ（Central Processing Unit）１１は、プログラム制御により種々の演算処理を実行し、ノートＰＣ１全体を制御している。
【００３３】
メインメモリ１２は、ＣＰＵ１１の実行プログラムの読み込み領域として、又は、実行プログラムの処理データを書き込む作業領域として利用される書き込み可能メモリである。メインメモリ１２は、例えば、複数個のＤＲＡＭ（Dynamic Random Access Memory）チップで構成される。この実行プログラムには、ＯＳ（Operating System）、周辺機器類をハードウェア操作するための各種ドライバ、各種サービス／ユーティリティ、アプリケーションプログラム等が含まれる。
【００３４】
ビデオサブシステム１３は、画像表示に関連する機能を実現するためのサブシステムであり、ビデオコントローラを含んでいる。このビデオコントローラは、ＣＰＵ１１からの描画命令を処理し、処理した描画情報をビデオメモリに書き込むとともに、ビデオメモリからこの描画情報を読み出して、表示部１４に描画データ（表示データ）として出力する。
【００３５】
表示部１４は、例えば、液晶ディスプレイであり、ビデオサブシステム１３から出力された描画データ（表示データ）に基づく表示画面を表示する。表示部１４は、図１及び図２に示すように、表示面Ｆ１が視認可能に第１筐体１０１に配置されている。
【００３６】
チップセット２１は、ＵＳＢ（Universal Serial Bus）、シリアルＡＴＡ（AT Attachment）、ＳＰＩ（Serial Peripheral Interface）バス、ＰＣＩ（Peripheral Component Interconnect）バス、ＰＣＩ−Ｅｘｐｒｅｓｓバス、及びＬＰＣ（Low Pin Count）バスなどのコントローラを備えており複数のデバイスが接続される。図３では、デバイスの例示として、ＢＩＯＳメモリ２２と、ＨＤＤ２３と、オーディオシステム２４と、ＷＬＡＮカード２５と、ＵＳＢコネクタ２６と、カメラ２７とが、チップセット２１に接続されている。
【００３７】
なお、本実施形態において、ＣＰＵ１１とチップセット２１とがメイン制御部１０に対応し、がメイン制御部１０は、本体部（第１筐体１０１、第２筐体１０２、及びヒンジ機構１０３など）に設けられ、各種情報処理を実行する。
ＢＩＯＳ（Basic Input Output System）メモリ２２は、例えば、ＥＥＰＲＯＭ（Electrically Erasable Programmable Read Only Memory）やフラッシュＲＯＭなどの電気的に書き換え可能な不揮発性メモリで構成される。ＢＩＯＳメモリ２２は、ＢＩＯＳ、及びエンベデッドコントローラ３１などを制御するためのシステムファームウェアなどを記憶する。
【００３８】
ＨＤＤ（Hard Disk Drive）２３（不揮発性記憶装置の一例）は、ＯＳ、各種ドライバ、各種サービス／ユーティリティ、アプリケーションプログラム、及び各種データを記憶する。
オーディオシステム２４は、音データの記録、再生、出力を行う。
【００３９】
ＷＬＡＮ（Wireless Local Area Network）カード２５は、ワイヤレス（無線）ＬＡＮにより、ネットワークに接続して、データ通信を行う。
ＵＳＢコネクタ２６は、ＵＳＢを利用した周辺機器類を接続するためのコネクタである。
【００４０】
カメラ２７（撮像部の一例）は、例えば、ＴｏＦカメラ（Time-of-Flight Camera）などであり、画像を撮像する。カメラ２７は、ＵＳＢインタフェースによりチップセット２１と接続されている。
【００４１】
エンベデッドコントローラ３１は、ノートＰＣ１のシステム状態に関わらず、各種デバイス（周辺装置やセンサ等）を監視し制御するワンチップマイコン（One-Chip Microcomputer）である。また、エンベデッドコントローラ３１は、電源回路３３を制御する電源管理機能を有している。なお、エンベデッドコントローラ３１は、不図示のＣＰＵ、ＲＯＭ、ＲＡＭなどで構成されるとともに、複数チャネルのＡ／Ｄ入力端子、Ｄ／Ａ出力端子、タイマ、及びデジタル入出力端子を備えている。エンベデッドコントローラ３１には、それらの入出力端子を介して、例えば、入力部３２、電源回路３３、温度センサ３４、ホールセンサ３５、加速度センサ３６、及び放熱ファン３７などが接続されており、エンベデッドコントローラ３１は、これらの動作を制御する。
【００４２】
入力部３２は、例えば、内蔵キーボードなどの、ポインティング・デバイス、タッチパッドなどの入力デバイスである。入力部３２は、図１に示すように、第２筐体１０２の表面Ｆ２に配置されている。また、入力部３２は、表示部１４上に配置されたタッチパネルを含んでもよい。
【００４３】
電源回路３３は、例えば、ＤＣ／ＤＣコンバータ、充放電ユニット、ＡＣ／ＤＣアダプタなどを含んでおり、外部電源から、又はバッテリから供給される直流電圧を、ノートＰＣ１を動作させるために必要な複数の電圧に変換する。また、電源回路３３は、エンベデッドコントローラ３１からの制御に基づいて、ノートＰＣ１の各部に電力を供給する。
温度センサ３４は、例えば、ＣＰＵ１１の周辺などの熱源の周辺に配置されており、温度を検出する。温度センサ３４は、例えば、筐体表面の温度を検出する際に用いられる。
【００４４】
ホールセンサ３５は、例えば、第２筐体１０２の内部に配置され、その周囲の磁場を検出する。なお、第１筐体１０１には、第１筐体１０１を閉じた状態において、第２筐体１０２の内部のホールセンサ３５に対向する第１筐体１０１の位置に永久磁石（不図示）が設置されており、ホールセンサ３５は、当該永久磁石の磁場の強度を検出することで、開閉角度θが０度であるか、３６０度であるかを識別する処理に利用される。
【００４５】
加速度センサ３６（センサ部の一例）は、例えば、３軸加速度センサであり、加速度を検出する。なお、ノートＰＣ１は、２つの加速度センサ３６（３６Ａ、３６Ｂ）を備えており、２つの加速度センサ３６（３６Ａ、３６Ｂ）の検出結果は、開閉角度θの検出に利用される。加速度センサ３６Ａは、例えば、第１筐体１０１の内部に配置され、加速度センサ３６Ｂは、例えば、第２筐体１０２の内部に配置されている。
また、加速度センサ３６は、揺れを検出し、ノートＰＣ１が、人に携帯されて使用するのか、例えば、机などに置かれて使用されるのかの判定に用いられる。
【００４６】
放熱ファン３７は、ファンを動作させて送風することにより、ノートＰＣ１の発熱を抑制する。なお、放熱ファン３７は、エンベデッドコントローラ３１によって、動作又は停止の制御が行われる。
【００４７】
外部入力装置４０は、ノートＰＣ１に接続可能な入力デバイスである。外部入力装置４０は、例えば、テントモードやスタンドモードなどのロウパフォーマンスレベルに設定されている使用形態において、ハイパフォーマンスな処理を実行したい場合に、ノートＰＣ１に接続される。外部入力装置４０は、上述したように、無線ドングル４１と、外部キーボード４２と、マウス４３とを備える。
【００４８】
無線ドングル４１は、ＵＳＢコネクタ２６に着脱可能なドングルであり、例えば、Bluetooth（登録商標）や２．４ＧＨｚ（ギガヘルツ）ワイヤレス通信などの無線通信インタフェースにより外部キーボード４２及びマウス４３と接続されている。無線ドングル４１は、無線通信インタフェースにより、無線ドングル４１と外部キーボード４２及びマウス４３との間の通信を行い、外部キーボード４２又はマウス４３によって入力された入力情報を受信し、ＵＳＢコネクタ２６を介して、メイン制御部１０（チップセット２１）に入力情報を出力する。
【００４９】
外部キーボード４２は、外付けのキーボードであり、無線通信インタフェースにより、無線ドングル４１と通信可能である。外部キーボード４２は、利用者から受け付けたキー入力情報（入力情報の一例）を、メイン制御部１０に送信する。
【００５０】
マウス４３は、例えば、ワイヤレスマウスであり、無線通信インタフェースにより、無線ドングル４１と通信可能である。マウス４３は、利用者から受け付けたマウスの入力情報を、メイン制御部１０に送信する。
【００５１】
次に、図４を参照して、本実施形態によるノートＰＣ１の機能構成について説明する。
図４は、本実施形態によるノートＰＣ１の機能構成の一例を示すブロック図である。
【００５２】
図４に示すように、ノートＰＣ１は、メイン制御部１０と、ＵＳＢコネクタ２６と、エンベデッドコントローラ３１と、加速度センサ３６（３６Ａ、３６Ｂ）とを備え、情報処理システム１００として、外部入力装置４０が接続されている。
なお、図４において、ノートＰＣ１の構成として、本実施形態の発明に関する主要な機能構成のみを記載している。また、図３において詳細に説明した構成については、ここではその説明を省略する。
【００５３】
メイン制御部１０は、ＣＰＵ１１及びチップセット２１に、ＢＩＯＳメモリ２２及びＨＤＤ２３に記憶されているプログラムを実行させることで実現される機能部であり、メイン制御部１０は、ＯＳに基づく情報処理を実行する。
メイン制御部１０は、状態検出部１１１と、モード制御部１１２と、設定制御部１１３とを備える。
【００５４】
状態検出部１１１は、ノートＰＣ１の使用形態を検出する機能部である。ここで、使用形態は、例えば、ノートＰＣ１の使用形状であり、状態検出部１１１は、加速度センサ３６（３６Ａ、３６Ｂ）が検出したノートＰＣ１（自装置）の加速度に基づいて、使用形状を検出する。状態検出部１１１は、例えば、加速度センサ３６（３６Ａ、３６Ｂ）の検出結果に基づいて、開閉角度θを検出し、検出した開閉角度θに基づいて、使用形状（例えば、テントモードなどの使用形態モード）を検出する。
【００５５】
モード制御部１１２は、例えば、ＯＳの一部であるパワー管理ドライバなどにより実現される機能部であり、状態検出部１１１が検出した使用形態に応じて、パフォーマンスレベルを設定する。モード制御部１１２は、例えば、ＤＹＴＣ（Dynamic Thermal Control ACPI I/F method）により、温度管理のためのエンベデッドコントローラ３１の制御、及びチップセット２１／ＣＰＵ１１（メイン制御部１０）の上限消費電力の変更を指示する。ここで、上限消費電力とは、例えば、「Ｐｏｗｅｒ  Ｌｉｍｉｔ」と呼ばれる設定可能な消費電力レベルであり、ＣＰＵ１１が消費できる単位時間当たりの消費電力の上限値を示す。モード制御部１１２は、例えば、上限消費電力の設定を指示することで、パフォーマンスレベルを設定する。
【００５６】
モード制御部１１２は、使用形態モードが、例えば、ラップトップモードである場合に、メイン制御部１０を、パフォーマンスレベルが高いハイパフォーマンスレベルに設定する。また、モード制御部１１２は、使用形態モードが、テントモード、スタンドモード、及びタブレットモードのいずれかである場合に、メイン制御部１０を、パフォーマンスレベルがハイパフォーマンスレベルより低いロウパフォーマンスレベルに設定する。
【００５７】
なお、本実施形態において、ラップトップモードの状態が、通常稼働状態である第１動作状態に対応し、モード制御部１１２は、第１動作状態において、パフォーマンスレベルの設定を、ハイパフォーマンスレベルに設定する。また、テントモード、スタンドモード、及びタブレットモードは、第２動作状態に対応し、モード制御部１１２は、第２動作状態において、パフォーマンスレベルの設定を、ロウパフォーマンスレベルに設定する。
【００５８】
設定制御部１１３は、外付けされた外部入力装置４０からの入力情報を受信した場合に、メイン制御部１０の処理能力が高くなるように、パフォーマンスレベルの設定を変更する。すなわち、設定制御部１１３は、メイン制御部１０がハイパフォーマンスレベルよりも処理能力の低いロウパフォーマンスレベルに設定されている場合に、無線ドングル４１によって外部入力装置４０からの入力情報が受信されるとロウパフォーマンスレベルよりも処理能力の高いハイパフォーマンスレベルにメイン制御部１０の設定を変更する。
【００５９】
例えば、設定制御部１１３は、第１動作状態よりもパフォーマンスレベルが低く設定された第２動作状態において、外部入力装置４０からの入力情報を受信した場合に、第２動作状態において設定されたパフォーマンスレベルより高くなるように、パフォーマンスレベルの設定を変更する。この場合、設定制御部１１３は、例えば、ハイパフォーマンスレベルに設定を変更する。なお、設定制御部１１３は、外部入力装置４０の外部キーボード４２又はマウス４３から、無線インタフェースにより無線ドングル４１を介して入力情報を受信する。
【００６０】
また、設定制御部１１３は、メイン制御部１０がハイパフォーマンスレベルに設定された状態において、本体部に人体が接触していることを検出した場合に、ロウパフォーマンスレベルにメイン制御部１０の設定を再変更する。設定制御部１１３は、例えば、メイン制御部１０の処理能力が高くなるように、パフォーマンスレベルの設定が変更された状態において、加速度センサ３６がノートＰＣ１（自装置）の揺れを検出した場合に、メイン制御部１０の処理能力が低下するように、パフォーマンスレベルの設定を再変更する。すなわち、設定制御部１１３は、メイン制御部１０がハイパフォーマンスレベルに設定された状態において、加速度センサ３６が本体部の所定以上の揺れを検出した場合に、本体部に人体が接触しているとして、ロウパフォーマンスレベルにメイン制御部１０の設定を再変更する。
【００６１】
設定制御部１１３は、例えば、エンベデッドコントローラ３１を介して、加速度センサ３６の検出結果を取得し、ノートＰＣ１が揺れている（例えば、人が携帯している）場合に、例えば、ロウパフォーマンスレベルの設定に再変更する。
【００６２】
次に、図面を参照して、本実施形態によるノートＰＣ１の動作について説明する。
図５は、本実施形態によるノートＰＣ１のパフォーマンス管理処理の一例を示すフローチャートである。
【００６３】
図５に示すように、ノートＰＣ１は、まず、使用形態を検出する（ステップＳ１０１）。すなわち、ノートＰＣ１の状態検出部１１１は、ノートＰＣ１の使用形態を検出する。状態検出部１１１は、例えば、加速度センサ３６（３６Ａ、３６Ｂ）の検出結果に基づいて、開閉角度θを検出し、開閉角度θが０度より大きく１９０度より小さい場合（０°＜θ＜１９０°）に、使用形態モードをラップトップモードであると検出する。また、状態検出部１１１は、開閉角度θが１９０度以上３６０度以下より小さい場合（１９０°≦θ≦３６０°）に、使用形態モードをテントモード、スタンドモード、及びタブレットモードのいずれかであると検出する。
【００６４】
次に、ノートＰＣ１のモード制御部１１２は、使用形態による分岐処理を実行する（ステップＳ１０２）。モード制御部１１２は、状態検出部１１１が検出した使用形態モードが、ラップトップモードである場合に、処理をステップＳ１０３に進める。また、モード制御部１１２は、状態検出部１１１が検出した使用形態モードが、テントモード、スタンドモード、及びタブレットモードのいずれかである場合に、処理をステップＳ１０４に進める。
【００６５】
ステップＳ１０３において、モード制御部１１２は、ハイパフォーマンスレベルに設定する。モード制御部１１２は、例えば、エンベデッドコントローラ３１の制御、及びチップセット２１／ＣＰＵ１１の上限消費電力の変更を指示して、メイン制御部１０のパフォーマンスレベルの設定を、ハイパフォーマンスレベルに設定する。なお、ハイパフォーマンスレベルは、ロウパフォーマンスレベルに比べて、例えば、最高動作クロック周波数が高く、上限消費電力が大きいパフォーマンスレベルである。ステップＳ１０３の処理後に、モード制御部１１２は、処理をステップＳ１０１に戻す。
【００６６】
また、ステップＳ１０４において、モード制御部１１２は、ロウパフォーマンスレベルに設定する。モード制御部１１２は、例えば、エンベデッドコントローラ３１の制御、及びチップセット２１／ＣＰＵ１１の上限消費電力の変更を指示して、メイン制御部１０のパフォーマンスレベルの設定を、ロウパフォーマンスレベルに設定する。なお、ロウパフォーマンスレベルは、ハイパフォーマンスレベルに比べて、例えば、最高動作クロック周波数が低く、上限消費電力が小さいパフォーマンスレベルである。ステップＳ１０４の処理後に、モード制御部１１２は、処理をステップＳ１０１に戻す。
【００６７】
次に、図６を参照して、本実施形態によるノートＰＣ１のパフォーマンスレベルの設定変更処理について説明する。
図６は、本実施形態によるノートＰＣ１のパフォーマンスレベルの設定変更処理の一例を示すフローチャートである。
【００６８】
図６に示すように、ノートＰＣ１の設定制御部１１３は、まず、ロウパフォーマンスレベルの設定であるか否かを判定する（ステップＳ２０１）。すなわち、設定制御部１１３は、例えば、状態検出部１１１によって、テントモード、スタンドモード、及びタブレットモードのいずれかであると検出され、モード制御部１１２によって、ロウパフォーマンスレベルに設定されているか否かを判定する。設定制御部１１３は、ロウパフォーマンスレベルの設定である場合（ステップＳ２０１：ＹＥＳ）に、処理をステップＳ２０２に進める。また、設定制御部１１３は、ロウパフォーマンスレベルの設定でない場合（ステップＳ２０１：ＮＯ）に、処理をステップＳ２０１に戻す。
【００６９】
ステップＳ２０２において、設定制御部１１３は、外部入力装置４０が、接続されているか否かを判定する。設定制御部１１３は、例えば、外部入力装置４０の無線ドングル４１が、ＵＳＢコネクタ２６を介して、ノートＰＣ１に接続されているか否かを判定する。設定制御部１１３は、外部入力装置４０が、接続されている場合（ステップＳ２０２：ＹＥＳ）に、処理をステップＳ２０３に進める。また、設定制御部１１３は、外部入力装置４０が、接続されていいな場合（ステップＳ２０２：ＮＯ）に、処理をステップＳ２０１に戻す。
【００７０】
ステップＳ２０３において、設定制御部１１３は、外部入力装置４０から入力情報を受信したか否かを判定する。すなわち、設定制御部１１３は、無線インタフェースにより、外部キーボード４２又はマウス４３から無線ドングル４１が通信し、ＵＳＢコネクタ２６を介して、入力情報を受信したか否かを判定する。設定制御部１１３は、外部入力装置４０から入力情報を受信した場合（ステップＳ２０３：ＹＥＳ）に、処理をステップＳ２０４に進める。また、設定制御部１１３は、外部入力装置４０から入力情報を受信していない場合（ステップＳ２０３：ＮＯ）に、処理をステップＳ２０１に戻す。
【００７１】
ステップＳ２０４において、設定制御部１１３は、ハイパフォーマンスレベルに設定を変更する。すなわち、設定制御部１１３は、エンベデッドコントローラ３１の制御、及びチップセット２１／ＣＰＵ１１の上限消費電力の変更を指示して、メイン制御部１０のパフォーマンスレベルの設定を、ハイパフォーマンスレベルに設定する。
【００７２】
次に、設定制御部１１３は、揺れを検出したか否かを判定する（ステップＳ２０５）。設定制御部１１３は、例えば、加速度センサ３６によってノートＰＣ１の揺れを検出したか否かを判定する。設定制御部１１３は、揺れを検出した場合（ステップＳ２０５：ＹＥＳ）に、利用者が携帯して使用していると判定して、処理をステップＳ２０６に進める。また、設定制御部１１３は、揺れを検出していない場合（ステップＳ２０５：ＮＯ）に、処理をステップＳ２０５に戻し、ハイパフォーマンスレベルの設定を維持する。
【００７３】
ステップＳ２０６において、設定制御部１１３は、ロウパフォーマンスレベルに設定を変更する。すなわち、設定制御部１１３は、エンベデッドコントローラ３１の制御、及びチップセット２１／ＣＰＵ１１の上限消費電力の変更を指示して、メイン制御部１０のパフォーマンスレベルの設定を、ロウパフォーマンスレベルに設定する。ステップＳ２０６の処理後に、設定制御部１１３は、処理をステップＳ２０１に戻す。
【００７４】
次に、図７を参照して、本実施形態によるノートＰＣ１のパフォーマンスレベルの設定変更処理の変形例について説明する。
図７は、本実施形態によるノートＰＣ１のパフォーマンスレベルの設定変更処理の別の一例を示すフローチャートである。図７に示す変形例では、設定制御部１１３は、外部入力装置４０からの入力情報を受信し、且つ、加速度センサ３６が自装置（本体部）の揺れを検出している場合に、パフォーマンスレベルの設定を変更しない（メイン制御部をロウパフォーマンスレベルに設定する）制御を行う変形例である。
【００７５】
図７において、ステップＳ３０１からステップＳ３０３までの処理は、上述した図６に示すステップＳ２０１からステップＳ２０３までの処理と同様であるため、ここではその説明を省略する。
【００７６】
ステップＳ３０４において、設定制御部１１３は、揺れを検出しているか否かを判定する。すなわち、設定制御部１１３は、例えば、加速度センサ３６によってノートＰＣ１の揺れを検出ているか否かを判定する。設定制御部１１３は、揺れを検出している場合（ステップＳ３０４：ＹＥＳ）に、利用者が携帯して使用していると判定して、処理をステップＳ３０１に戻す。また、設定制御部１１３は、揺れを検出していない（携帯での使用でない固定使用である）場合（ステップＳ３０４：ＮＯ）に、処理をステップＳ３０５に進める。
【００７７】
続く、ステップＳ３０５からステップＳ３０７までの処理は、上述した図６に示すステップＳ２０４からステップＳ２０６までの処理と同様であるため、ここではその説明を省略する。ステップＳ３０７の処理後に、設定制御部１１３は、処理をステップＳ３０１に戻す。
【００７８】
以上説明したように、本実施形態によるノートＰＣ１（情報処理装置）は、本体部（第１筐体１０１、第２筐体１０２、及びヒンジ機構１０３など）と、メイン制御部１０と、無線ドングル４１（信号受信部）と、設定制御部１１３とを備える。メイン制御部１０は、本体部に設けられ、情報処理を実行する。無線ドングル４１は、本体部に設けられ、本体部の筐体とは別体である外部入力装置からの入力情報を受信する。設定制御部１１３は、メイン制御部１０が第１動作状態（ハイパフォーマンスレベルの設定状態）よりも処理能力の低い第２動作状態（ロウパフォーマンスレベルの設定状態）に設定されている場合に、無線ドングル４１によって外部入力装置４０からの入力情報が受信されると、第２動作状態（ロウパフォーマンスレベルの設定状態）よりも処理能力の高い第１動作状態（ハイパフォーマンスレベルの設定状態）にメイン制御部１０の設定を変更する。
【００７９】
これにより、本実施形態によるノートＰＣ１は、外部入力装置４０からの入力情報を受信した場合に、メイン制御部１０の処理能力が高くなるように、パフォーマンスレベルの設定を変更するので、使用状況（例えば、使用形態）に応じて、パフォーマンスを適切に設定することができる。
本実施形態によるノートＰＣ１は、例えば、タブレット端末やテントモードなどの使用形態においても、ラップトップモード並みのパフォーマンスを実現することができる。
【００８０】
また、本実施形態によるノートＰＣ１は、揺れを検出する加速度センサ３６（センサ部）を備える。設定制御部１１３は、メイン制御部１０がハイパフォーマンスレベルに設定された状態において、加速度センサ３６が自装置（本体部）の所定以上の揺れを検出した場合に、自装置（本体部）に人体が接触しているとして、ロウパフォーマンスレベルにメイン制御部１０の設定を再変更する。このように、設定制御部１１３は、メイン制御部１０がハイパフォーマンスレベルに設定された状態において、自装置（本体部）に人体が接触していることを検出した場合に、ロウパフォーマンスレベルにメイン制御部１０の設定を再変更する。
【００８１】
これにより、本実施形態によるノートＰＣ１は、例えば、外部入力装置４０が無線インタフェースを用いて、無線ドングル４１のように常時接続可能な場合であっても、揺れを検出することで、ラップトップモードと同様に使用したい使用状況を正確に判定することができる。よって、本実施形態によるノートＰＣ１は、例えば、無線ドングル４１のように外部入力装置４０が常時接続されていて、且つ、利用者が携帯して使用する場合であっても、発熱量を抑制することができ、利用者に不快な温度を感じさせることがない。
【００８２】
また、本実施形態では、設定制御部１１３は、外部入力装置４０からの入力情報を受信し、且つ、加速度センサ３６が自装置（本体部）の揺れを検出している場合に、パフォーマンスレベルの設定を変更しない（メイン制御部をロウパフォーマンスレベルに設定する）制御を行う。
【００８３】
これにより、本実施形態によるノートＰＣ１は、例えば、テントモード、スタンドモード、及びタブレットモードのいずれかの使用形態において、加速度センサ３６が自装置の揺れを検出している場合には、無駄にパフォーマンスレベルの設定を高く設定変更することがなく、確実に、発熱量を抑制することができる。
【００８４】
また、本実施形態では、外部入力装置４０は、無線通信インタフェースにより接続されている。すなわち、外部入力装置４０からの入力情報は、無線通信インタフェースを介して受信される。
これにより、本実施形態によるノートＰＣ１は、外部入力装置４０の使用の自由度を高めることができるとともに、使用状況（例えば、使用形態）に応じて、パフォーマンスを適切に設定することができる。
【００８５】
また、本実施形態では、設定制御部１１３は、第２動作状態（テントモード、スタンドモード、及びタブレットモードなどのロウパフォーマンスレベルの設定状態）において、外部入力装置４０からの入力情報を受信した場合に、第２動作状態において設定されたパフォーマンスレベルより高くなるように、パフォーマンスレベルの設定を変更する。ここで、第２動作状態は、通常稼働状態である第１動作状態（例えば、ラップトップモードのハイパフォーマンスレベルの設定状態）よりもパフォーマンスレベルが低く設定された状態である。
【００８６】
これにより、本実施形態によるノートＰＣ１は、第２動作状態（テントモード、スタンドモード、及びタブレットモードなどのロウパフォーマンスレベルの設定状態）において、パフォーマンスを高めて使用することができる。
【００８７】
また、本実施形態によるノートＰＣ１は、少なくとも表示部１４を有する第１筐体１０１と、少なくとも入力部３２を有する第２筐体１０２と、第１筐体１０１と第２筐体１０２とを結合しながら、第１筐体１０１を第２筐体１０２に対して回動可能とするヒンジ機構１０３（回動機構）とで構成される。ヒンジ機構１０３は、第１筐体１０１の表示部１４と第２筐体１０２の入力部３２とが対向して重ねられた状態から３６０度回動可能に第１筐体１０１と第２筐体１０２とを結合する。上述した第２動作状態は、表示部１４の表示面及び入力部３２が外側になるように第１筐体１０１と第２筐体１０２とをヒンジ機構１０３により折り曲げた状態である。すなわち、第２動作状態は、表示部１４の表示面及び入力部３２が外側になっている際に設定される状態である。また、表示部１４と入力部３２とが内側を向いた状態では、第１動作状態に設定される。
【００８８】
これにより、第２動作状態は、例えば、テントモード、スタンドモード、及びタブレットモードなどであり、本実施形態によるノートＰＣ１は、例えば、利用者が携帯して使用する可能性が高い第２動作状態において、使用状況に応じて、適切にパフォーマンス（処理能力）を変更することができる。
【００８９】
また、本実施形態による制御方法は、本体部（第１筐体１０１、第２筐体１０２、及びヒンジ機構１０３など）と、メイン制御部１０と、無線ドングル４１（信号受信部）とを備えるノートＰＣ１の制御方法であって、設定制御ステップを含む。設定制御ステップにおいて、設定制御部１１３が、外付けされた外部入力装置４０からの入力情報を受信した場合に、メイン制御部１０の処理能力が高くなるように、メイン制御部１０の処理能力のレベルを示すパフォーマンスレベルの設定を変更する。すなわち。設定制御ステップにおいて、設定制御部１１３が、メイン制御部１０が第１動作状態（ハイパフォーマンスレベルの設定状態）よりも処理能力の低い第２動作状態（ロウパフォーマンスレベルの設定状態）に設定されている場合に、無線ドングル４１によって外部入力装置４０からの入力情報が受信されると、第２動作状態（ロウパフォーマンスレベルの設定状態）よりも処理能力の高い第１動作状態（ハイパフォーマンスレベルの設定状態）にメイン制御部１０の設定を変更する。
【００９０】
これにより、本実施形態による制御方法は、上述したノートＰＣ１と同様の効果を奏し、使用状況（例えば、使用形態）に応じて、パフォーマンスを適切に設定することができる。
【００９１】
なお、本発明は、上記の実施形態に限定されるものではなく、本発明の趣旨を逸脱しない範囲で変更可能である。
例えば、上記の実施形態において、情報処理装置がノートＰＣ１である例を説明したが、これに限定されるものではなく、例えば、タブレット端末装置などの他の情報処理装置であってもよい。
【００９２】
また、上記の実施形態において、外部入力装置４０は、信号受信部として無線ドングル４１を備えた無線インタフェースで接続されたワイヤレスの入力デバイスである例を説明したが、これに限定されるものではなく、ＵＳＢなどの有線で接続された入力装置であってもよい。
【００９３】
また、上記の実施形態において、設定制御部１１３が、加速度センサ３６による揺れの検出によって、ハイパフォーマンスレベルを解除して、ロウパフォーマンスレベルに戻す例を説明したが、これに限定されるものではなく、例えば、モード設定メニューを利用者が操作することでロウパフォーマンスレベルに戻すようにしてもよい。また、設定制御部１１３は、ノートＰＣ１を携帯して使用することが検出できれば、他の方式により、ロウパフォーマンスレベルに戻すようにしてもよい。
【００９４】
また、上記の実施形態において、設定制御部１１３は、外部入力装置４０からの入力情報を受信した場合に、ハイパフォーマンスレベルに変更する例を説明したが、これに限定されるものではない。設定制御部１１３は、例えば、外部ディスプレィなどの外部出力装置に出力情報を出力している場合に、ハイパフォーマンスレベルに変更するようにしてもよいし、外部入力装置４０と外部出力装置との組み合わせにより、ハイパフォーマンスレベルに変更するようにしてもよい。
【００９５】
また、上記の実施形態において、外部入力装置４０の無線インタフェースが、Bluetooth（登録商標）又は２．４ＧＨｚワイヤレス通信である例を説明したが、これに限定されるものではなく、他の無線インタフェースを適用してもよい。
【００９６】
また、上記の実施形態において、ノートＰＣ１は、外部入力装置４０をＵＳＢコネクタ２６を用いて接続する例を説明したが、これに限定されるものではなく、他のインタフェースを用いて接続するようにしてもよい。
【００９７】
また、上記の実施形態において、モード制御部１１２及び設定制御部１１３は、パフォーマンスレベルをハイパフォーマンスレベル（高いパフォーマンスレベル）とロウパフォーマンスレベル（低いパフォーマンスレベル）との２つのレベルの間で変更する例を説明したが、これに限定されるものではない。モード制御部１１２及び設定制御部１１３は、３つ以上のパフォーマンスレベルを設定変更するようにしてもよい。また、設定制御部１１３は、３つ以上のパフォーマンスレベルの設定を段階的に変更するようにしてもよい。
【００９８】
また、上記の実施形態において、設定制御部１１３は、メイン制御部１０に内部に備える例を説明したが、これに限定されるものではなく、メイン制御部１０に外部（例えば、エンベデッドコントローラ３１の内部など）に備えるようにしてもよい。
【００９９】
なお、上述したノートＰＣ１が備える各構成は、内部に、コンピュータシステムを有している。そして、上述したノートＰＣ１が備える各構成の機能を実現するためのプログラムをコンピュータ読み取り可能な記録媒体に記録して、この記録媒体に記録されたプログラムをコンピュータシステムに読み込ませ、実行することにより上述したノートＰＣ１が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１００】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後にノートＰＣ１が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１０１】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１０２】
１  ノートＰＣ
１０  メイン制御部
１１  ＣＰＵ
１２  メインメモリ
１３  ビデオサブシステム
１４  表示部
２１  チップセット
２２  ＢＩＯＳメモリ
２３  ＨＤＤ
２４  オーディオシステム
２５  ＷＬＡＮカード
２６  ＵＳＢコネクタ
２７  カメラ
３１  エンベデッドコントローラ（ＥＣ）
３２  入力部
３３  電源回路
３４  温度センサ
３５  ホールセンサ
３６、３６Ａ、３６Ｂ  加速度センサ
３７  放熱ファン
４０  外部入力装置
４１  無線ドングル（信号受信部）
４２  外部キーボード
４３  マウス
１００  情報処理システム
１０１  第１筐体
１０２  第２筐体
１０３、１０３−１、１０３−２  ヒンジ機構（回動機構）
１１１  状態検出部
１１２  モード制御部
１１３  設定制御部
【図１】
0006982649.tif 000002
【図２】
0006982649.tif 000003
【図３】
0006982649.tif 000004
【図４】
0006982649.tif 000005
【図５】
0006982649.tif 000006
【図６】
0006982649.tif 000007
【図７】
0006982649.tif 000008